(57)【要約】受取りイベント、記憶イベント、関連付けイベントなどのカテゴリのイベントを識別するためのデータ収集システムを含むコンピュータシステムがデータを追跡するために使用される。システムは、品目についての索引データを含む品目モジュールをさらに含む。システムは、品目に割り当てられるべき受取りイベントと品目に割り当てられるべき記憶イベントとを記録するためのエンドユーザ施設モジュールをさらに含む。システムは、提供者に関連付けイベントを割り当てるための提供者モジュールをさらに含む。システムは、エンドユーザと品目とに割り当てられるべき関連付けイベントを記録するためのエンド・ユーザ・モジュールをさらに含む。システムは、報告書を生成するための報告システムをさらに含む。品目は一意の索引値を有し、エンドユーザは非一意の索引値を有する。2013508822.tif 000003
2013508822.tif 000002
【特許請求の範囲】
【請求項１】
受取りイベント、記憶イベント、および関連付けイベントを含むカテゴリのイベントを識別するためのデータ収集システムと、
品目についての索引データを含む品目モジュールと、
前記品目に割り当てられるべき前記受取りイベントと前記品目に割り当てられるべき前記記憶イベントとを記録するためのエンドユーザ施設モジュールと、
前記関連付けイベントを提供者に割り当てるための提供者モジュールと、
エンドユーザと前記品目とに割り当てられるべき前記関連付けイベントを記録するためのエンド・ユーザ・モジュールと、
前記カテゴリのうちの少なくとも2つからの情報を含む報告書を生成するための報告システムと
を含み、
前記品目が一意の索引値を有し、前記エンドユーザが非一意の索引値を有し、
少なくとも前記エンドユーザ施設モジュール、前記提供者モジュール、および前記エンド・ユーザ・モジュールが、コンピュータシステムにおいてコンピュータネットワークによって相互に通信可能に結合されている、
コンピュータ可読媒体において実施され、プロセッサで実行される、データを追跡するためのコンピュータシステム。
【請求項２】
品目に割り当てられるべき製造イベントを記録するための製造者モジュール
をさらに含み、
報告システムが、カテゴリのうちの少なくとも一つと製造イベントとからの情報を含む報告書を生成し、
前記製造モジュールがコンピュータネットワークに通信可能に結合されている、請求項1記載のコンピュータシステム。
【請求項３】
品目が医療器具である、請求項1記載のコンピュータシステム。
【請求項４】
品目に割り当てられるべき流通イベントを記録するための流通者モジュールをさらに含み、
報告システムが、カテゴリのうちの少なくとも一つと流通イベントとからの情報を含む報告書を生成し、
前記流通者モジュールがコンピュータネットワークに通信可能に結合されている、請求項1記載のコンピュータシステム。
【請求項５】
エンドユーザの非一意の索引が人口統計情報を含む、請求項1記載のコンピュータシステム。
【請求項６】
品目の一意の索引が型番と通し番号とを含む、請求項1記載のコンピュータシステム。
【請求項７】
エンドユーザ施設モジュールが、病院、診療所、または医院のうちの一つまたは複数と関連付けられている、請求項1記載のコンピュータシステム。
【請求項８】
提供者モジュールが医療提供者と関連付けられている、請求項1記載のコンピュータシステム。
【請求項９】
エンドユーザが患者である、請求項1記載のコンピュータシステム。
【請求項１０】
データ収集システムが、受取りイベント、記憶イベント、および関連付けイベントを含むカテゴリのイベントを識別する段階;
品目モジュールから、品目についての索引データにアクセスする段階;
エンドユーザ施設モジュールが、前記品目に割り当てられるべき前記受取りイベントと前記品目に割り当てられるべき前記記憶イベントとを記録する段階;
提供者モジュールが、前記関連付けイベントを提供者に割り当てる段階;
エンド・ユーザ・モジュールが、エンドユーザと前記品目とに割り当てられるべき前記関連付けイベントを記録する段階;
報告システムが、前記カテゴリのうちの少なくとも2つからの情報を含む報告書を生成する段階
を含み、
前記品目が一意の索引値を有し、前記エンドユーザが非一意の索引値を有し、
少なくとも前記エンドユーザ施設モジュール、前記提供者モジュール、および前記エンド・ユーザ・モジュールが、コンピュータシステムにおいてコンピュータネットワークによって相互に通信可能に結合される、
コンピュータ可読媒体において実施され、プロセッサで実行される、データを追跡するための方法。
【請求項１１】
製造者モジュールが、品目に割り当てられるべき製造イベントを記録する段階;
報告システムが、カテゴリのうちの少なくとも一つと製造イベントとからの情報を含む報告書を生成する段階
をさらに含み、
前記製造モジュールが、コンピュータネットワークに通信可能に結合される、請求項10記載の方法。
【請求項１２】
品目が医療器具である、請求項10記載の方法。
【請求項１３】
流通者モジュールが、品目に割り当てられるべき流通イベントを記録する段階;
報告システムが、カテゴリのうちの少なくとも一つと流通イベントとからの情報を含む報告書を生成する段階
をさらに含み、
前記流通者モジュールが、コンピュータネットワークに通信可能に結合される、請求項10記載の方法。
【請求項１４】
エンドユーザの非一意の索引が人口統計情報を含む、請求項10記載の方法。
【請求項１５】
品目の一意の索引が型番と通し番号とを含む、請求項10記載の方法。
【請求項１６】
エンドユーザ施設モジュールが、病院、診療所、または医院のうちの一つまたは複数と関連付けられる、請求項10記載の方法。
【請求項１７】
提供者モジュールが医療提供者と関連付けられる、請求項10記載の方法。
【請求項１８】
エンドユーザが患者である、請求項10記載の方法。
【請求項１９】
プロセッサによって実行されると、
データ収集システムが、受取りイベント、記憶イベント、および関連付けイベントを含むカテゴリのイベントを識別する段階;
品目モジュールから、品目についての索引データにアクセスする段階;
エンドユーザ施設モジュールが、前記品目に割り当てられるべき前記受取りイベントと前記品目に割り当てられるべき前記記憶イベントとを記録する段階;
提供者モジュールが、前記関連付けイベントを提供者に割り当てる段階;
エンド・ユーザ・モジュールが、エンドユーザと前記品目とに割り当てられるべき前記関連付けイベントを記録する段階;
報告システムが、前記カテゴリのうちの少なくとも2つからの情報を含む報告書を生成する段階
を含む方法であって、
前記品目が一意の索引値を有し、前記エンドユーザが非一意の索引値を有し、
少なくとも前記エンドユーザ施設モジュール、前記提供者モジュール、および前記エンド・ユーザ・モジュールが、コンピュータシステムにおいてコンピュータネットワークによって相互に通信可能に結合される
前記方法を実施する命令を含み、かつコンピュータ可読記憶媒体において感知できるように具体化された、コンピュータプログラム製品。
【請求項２０】
前記方法が、
製造者モジュールが、品目に割り当てられるべき製造イベントを記録する段階;
報告システムが、カテゴリのうちの少なくとも一つと製造イベントとからの情報を含む報告書を生成する段階
をさらに含み、
前記製造モジュールが、コンピュータネットワークに通信可能に結合される、請求項19記載のコンピュータプログラム製品。
【請求項２１】
品目が医療器具である、請求項19記載のコンピュータプログラム製品。
【請求項２２】
前記方法が、
流通者モジュールが、品目に割り当てられるべき流通イベントを記録する段階;
報告システムが、カテゴリのうちの少なくとも一つと流通イベントとからの情報を含む報告書を生成する段階
をさらに含み、
前記流通者モジュールが、コンピュータネットワークに通信可能に結合される、請求項19記載のコンピュータプログラム製品。
【請求項２３】
エンドユーザの非一意の索引が人口統計情報を含む、請求項19記載のコンピュータプログラム製品。
【請求項２４】
品目の一意の索引が型番と通し番号とを含む、請求項19記載のコンピュータプログラム製品。
【請求項２５】
エンドユーザ施設モジュールが、病院、診療所、または医院のうちの一つまたは複数と関連付けられる、請求項19記載のコンピュータプログラム製品。
【請求項２６】
提供者モジュールが医療提供者と関連付けられる、請求項19記載のコンピュータプログラム製品。
【請求項２７】
エンドユーザが患者である、請求項19記載のコンピュータプログラム製品。
【発明の詳細な説明】
【技術分野】
【０００１】
関連出願の相互参照
本出願は、2009年10月16日に出願された、米国仮出願第61/252,528号の優先権を主張するものである。
【０００２】
技術分野
本出願はデータベース管理の分野に関する。
【背景技術】
【０００３】
背景
エンドユーザによって使用されるツール、構造体、製品、および対象物は、多種多様なカテゴリ、形状、サイズ、価格、および用途において提供される。そのような品目は、製造者および流通者によって製造され、流通される。場合によっては、そのような品目の製造および流通は、高品質、高信頼の最終製品を保証するために慎重に管理され、調整される。
【０００４】
例えば、医療器具などの品目は、患者に治療を提供する過程において医療提供者によって使用される。場合によっては、品目は、患者に外科的に移植され得る医療器具（心臓器具、整形器具、美容器具など）である。場合によっては、品目は、患者を診療する間に医療提供者によって使用される。例えば、医療器具である品目は、医療用の撮像機や感知機などを用いて患者をモニタするのに使用することができる。
【０００５】
品目、または一つもしくは複数の品目の使用を含み得るサービスと引き換えに、個人は、その（一つもしくは複数の）品目の提供者に支払いをし得る。場合によっては、個人は、品目が個人によって受け取られ、または個人に提供されるときに、または後で請求書を受け取ったことに応答して、提供者に直接支払いをする。場合によっては、品目が医療器具であるときなどには、患者は、医療サービスの勘定の一部または全部を支払う医療保険によって費用をまかなわれることもある。
【発明の概要】
【０００６】
概要
一般に、本明細書では、品目を追跡するためのシステムおよび方法を説明する。
【０００７】
一局面では、コンピュータ可読媒体において実施され、プロセッサで実行されるコンピュータシステムがデータを追跡するために使用され、コンピュータシステムは、受取りイベント、記憶イベント、および関連付けイベントを含むカテゴリのイベントを識別するためのデータ収集システムを含む。システムは、品目についての索引データを含む品目モジュールをさらに含む。システムは、品目に割り当てられるべき受取りイベントと、品目に割り当てられるべき記憶イベントとを記録するためのエンドユーザ施設モジュールをさらに含む。システムは、関連付けイベントを提供者に割り当てるための提供者モジュールをさらに含む。システムは、エンドユーザと品目とに割り当てられるべき関連付けイベントを記録するためのエンド・ユーザ・モジュールをさらに含む。システムは、カテゴリのうちの少なくとも2つからの情報を含む報告書を生成するための報告システムをさらに含む。品目は一意の索引値を有し、エンドユーザは非一意の索引値を有する。システムは、少なくともエンドユーザ施設モジュール、提供者モジュール、およびエンド・ユーザ・モジュールがコンピュータシステムにおいてコンピュータネットワークによって相互に通信可能に結合されていることをさらに含む。
【０００８】
実施態様は、以下の特徴のうちのいずれかを含んでいても、すべてを含んでいてもよく、どの特徴も含んでいなくてもよい。コンピュータシステムは、品目に割り当てられるべき製造イベントを記録するための製造者モジュールを含み、報告システムは、カテゴリのうちの少なくとも一つと製造イベントとからの情報を含む報告書を生成し、製造モジュールは、コンピュータネットワークに通信可能に結合されている。品目は医療器具である。コンピュータシステムは、品目に割り当てられるべき流通イベントを記録するための流通者モジュールを含み、報告システムは、カテゴリのうちの少なくとも一つと流通イベントとからの情報を含む報告書を生成し、流通者モジュールは、コンピュータネットワークに通信可能に結合されている。エンドユーザの非一意の索引は人口統計情報を含む。品目の一意の索引は型番と通し番号とを含む。エンドユーザ施設モジュールは、病院、診療所、または医院のうちの一つまたは複数と関連付けられている。提供者モジュールは、医療提供者と関連付けられている。エンドユーザは患者である。
【０００９】
一局面では、コンピュータ可読媒体において実施され、プロセッサで実行される、データを追跡するための方法が使用され、方法は、データ収集システムが、受取りイベント、記憶イベント、および関連付けイベントを含むカテゴリのイベントを識別する段階を含む。方法は、品目モジュールから、品目についての索引データにアクセスする段階をさらに含む。方法は、エンドユーザ施設モジュールが、品目に割り当てられるべき受取りイベントと、品目に割り当てられるべき記憶イベントとを記録する段階をさらに含む。方法は、提供者モジュールが、関連付けイベントを提供者に割り当てる段階をさらに含む。方法は、エンド・ユーザ・モジュールが、エンドユーザと品目とに割り当てられるべき関連付けイベントを記録する段階をさらに含む。方法は、報告システムが、カテゴリのうちの少なくとも2つからの情報を含む報告書を生成する段階をさらに含む。方法は、品目が一意の索引値を有し、エンドユーザが非一意の索引値を有することをさらに含む。方法は、少なくともエンドユーザ施設モジュール、提供者モジュール、およびエンド・ユーザ・モジュールがコンピュータシステムにおいてコンピュータネットワークによって相互に通信可能に結合されることをさらに含む。
【００１０】
実施態様は、以下の特徴のうちのいずれかを含んでいても、すべてを含んでいてもよく、どの特徴も含んでいなくてもよい。方法は、製造者モジュールが、品目に割り当てられるべき製造イベントを記録する段階、報告システムが、カテゴリのうちの少なくとも一つと製造イベントとからの情報を含む報告書を生成する段階を含み、製造モジュールは、コンピュータネットワークに通信可能に結合される。品目は医療器具である。方法は、流通者モジュールが、品目に割り当てられるべき流通イベントを記録する段階、報告システムが、カテゴリのうちの少なくとも一つと流通イベントとからの情報を含む報告書を生成する段階を含み、流通者モジュールは、コンピュータネットワークに通信可能に結合される。エンドユーザの非一意の索引は人口統計情報を含む。品目の一意の索引は型番と通し番号とを含む。エンドユーザ施設モジュールは、病院、診療所、または医院のうちの一つまたは複数と関連付けられる。提供者モジュールは、医療提供者と関連付けられる。エンドユーザは患者である。
【００１１】
一局面では、コンピュータプログラム製品が、コンピュータ可読記憶媒体において感知できるように具体化（tangibly embodied）され、コンピュータプログラム製品は、プロセッサによって実行されると、データ収集システムが、受取りイベント、記憶イベント、および関連付けイベントを含むカテゴリのイベントを識別する段階を含む方法を実施する命令を含む。コンピュータプログラム製品は、品目モジュールから、品目についての索引データにアクセスする段階をさらに含む。コンピュータプログラム製品は、エンドユーザ施設モジュールが、品目に割り当てられるべき受取りイベントと品目に割り当てられるべき記憶イベントとを記録する段階をさらに含む。コンピュータプログラム製品は、提供者モジュールが、関連付けイベントを提供者に割り当てる段階をさらに含む。コンピュータプログラム製品は、エンド・ユーザ・モジュールが、エンドユーザと品目とに割り当てられるべき関連付けイベントを記録する段階をさらに含む。コンピュータプログラム製品は、報告システムが、カテゴリのうちの少なくとも2つからの情報を含む報告書を生成する段階をさらに含む。コンピュータプログラム製品は、品目が一意の索引値を有し、エンドユーザが非一意の索引値を有することをさらに含む。コンピュータプログラム製品は、少なくともエンドユーザ施設モジュール、提供者モジュール、およびエンド・ユーザ・モジュールが、コンピュータシステムにおいてコンピュータネットワークによって相互に通信可能に結合されることをさらに含む。
【００１２】
実施態様は、以下の特徴のうちのいずれかを含んでいても、すべてを含んでいてもよく、どの特徴も含んでいなくてもよい。方法は、製造者モジュールが、品目に割り当てられるべき製造イベントを記録する段階、報告システムが、カテゴリのうちの少なくとも一つと製造イベントとからの情報を含む報告書を生成する段階を含み、製造モジュールは、コンピュータネットワークに通信可能に結合される。品目は医療器具である。方法は、流通者モジュールが、品目に割り当てられるべき流通イベントを記録する段階、報告システムが、カテゴリのうちの少なくとも一つと流通イベントとからの情報を含む報告書を生成する段階を含み、流通者モジュールは、コンピュータネットワークに通信可能に結合される。エンドユーザの非一意の索引は人口統計情報を含む。品目の一意の索引は型番と通し番号とを含む。エンドユーザ施設モジュールは、病院、診療所、または医院のうちの一つまたは複数と関連付けられる。提供者モジュールは、医療提供者と関連付けられる。エンドユーザは患者である。
【００１３】
特に定義されない限り、本明細書において使用されるすべての科学技術用語は、本発明が関連する技術分野の当業者によって一般に理解されるのと同じ意味を有する。本明細書において説明するのと類似の、または同等の方法および材料を使用して本発明を実施することもできるが、以下において適切な方法および材料を説明する。本明細書に記載されるすべての出版物、特許出願、特許、およびその他の参照文献は、参照によりその全文が本明細書に組み入れられる。矛盾が生じる場合には、定義を含めて、本明細書を優位とする。加えて、材料、方法、および実施例は例示にすぎず、限定を意図するものではない。
【００１４】
本発明の一つまたは複数の態様の詳細を、添付の図面および以下の説明において示す。本発明の他の特徴、目的、および利点は、以下の説明および図面と、特許請求の範囲とを読めば明らかになるであろう。
【図面の簡単な説明】
【００１５】
【図１】品目を追跡し、品目のユーザを追跡するための例示的システムを示す図である。
【図２】品目に関連したデータを記憶するための例示的コンピューティングクラウドを示す図である。
【図３Ａ】品目ユーザ追跡システムにおける行為者の例示的リストを示す図である。
【図３Ｂ】品目ユーザ追跡システムにおける行為者の例示的リストを示す図である。
【図４】品目に関連した情報を記録する工程の例を示す流れ図である。
【図５】医療情報を表示する例示的報告書を示す図である。
【図６Ａ】入力アクセスレベルを設定するための例示的グラフィカル・ユーザ・インターフェースを示す図である。
【図６Ｂ】出力アクセスレベルを設定するための例示的グラフィカル・ユーザ・インターフェースを示す図である。
【図６Ｃ】集中アクセスレベルを設定するための例示的グラフィカル・ユーザ・インターフェースを示す図である。
【図６Ｄ】セキュリティ・アクセス・レベルを設定するための例示的グラフィカル・ユーザ・インターフェースを示す図である。
【図７】新しいデータを追跡システムに追加する工程の例を示す流れ図である。
【図８Ａ】本明細書で説明するコンピュータによる方法およびシステムと関連させて使用することができるコンピューティング機器およびモバイルコンピューティング機器の例を示す図である。
【図８Ｂ】本明細書で説明するコンピュータによる方法およびシステムと関連させて使用することができるコンピューティング機器およびモバイルコンピューティング機器の別の例を示す図である。
【図９】レコード保持者からデータリポジトリへデータを収集するためのコンピュータシステムを示す図である。
【図１０】データリポジトリからユーザポータルへ情報を提供するためのコンピュータシステムを示す図である。
【００１６】
様々な図面における類似の参照記号は類似の要素を指示する。
【発明を実施するための形態】
【００１７】
詳細な説明
図1に、品目、品目の製造、流通、関連付けおよびユーザを追跡するための例示的システムを示す。品目追跡システム100は、品目102を、品目102の製造、流通、および使用の各段階を通して追跡することができる。品目追跡システム100は、品目を追跡し、有害反応を防止もしくは低減し、品目製造もしくは使用に伴う問題、または他の使用を特定するためのグループデータを生成することができる世界保健知識措置システムとすることができる。
【００１８】
実施態様によっては、システム100は、データベース管理、データベースのサーバ定義、必須データの作成および維持、ならびに、データベース内のデータおよび当該ユーザ別に生成されるシステムデータ管理の使用に関連したデータを含むデータ管理によって作成される任意のデータに関連したものに関連し得る。例えば、規制機関は、患者を区別しないデータまたは患者に関連したデータウェアハウス情報にアクセスする。システム100は、品目とユーザのみならず、例えば、製造と流通者を追跡するためにも使用することができる。
【００１９】
品目102は、エンドユーザと共に、エンドユーザに対して、エンドユーザに関して、またはエンドユーザに関連して使用される器具とすることができる。実施態様によっては、品目102は、連邦食品、医薬品、および化粧品法（Federal Food, Drug ＆ Cosmetic（FD＆C）Act）の第201（h）条で以下のように定義されている食品、医薬品、および/または医療器具とすることができる。
「計器、装置、器具、機械、考案品、インプラント、インビトロ試薬、または他の類似の、もしくは関連した物品であり、任意の構成要素、部品、または付属品を含み、
（1）公式の米国国民医薬品集（National Formulary）、もしくは米国薬局方（United States Pharmacopeia）、もしくはこれらの任意の付録において承認されており、
（2）人もしくは他の動物における、疾病もしくは他の状態の診断において、または疾病の治癒、緩和、治療、もしくは予防において使用することを目的とし、
（3）人もしくは他の動物の身体の構造もしくは任意の機能に影響を及ぼすことを目的とし、人もしくは他の動物の身体内もしくはその表面における化学作用によってその主要な意図する目的を達成するものではなく、その主要な意図する目的の達成について代謝されることに依存するものではないもの。」
【００２０】
品目の例102には、それだけに限らないが、自動車部品、GPS位置決め装置、保険証券、設備、生物学的製剤、血液細胞製剤、医薬品CTC、食品、処方薬、化粧品、診断設備、計器（外科用/内科用）、診断試薬、電気医療装置、電気治療装置、放射線装置、実験装置、備品、設備、電気器具、消費者製品、工業用品、および市場で購買され、または流通され得る他の品目が含まれる。
【００２１】
品目102は、製造され、引き受けられ、滅菌され、ソートされ、梱包され、ラベル付けされ104、かつ/または、複数の構成要素からなる製造システムによる別の工程を受けることができる。品目102は、購買、処方、移植、割当て、および/またはエンドユーザ110が使用するための関連付け108の準備のための在庫106として保管することができる。
【００２２】
原製造者112は、製造所、工場、生産者、または、例えば未処理の構成材などから基本品目102を作成することができる他の行為者とすることができる。流通者114は、品目を受け取り、品目に対して、または品目を用いて、ラベル付け104などの工程を実施することができる。実施態様によっては、流通者114によって異なる工程を実施することも可能である。流通者114aは、例えば、品目102を滅菌し、事前包装することができ、流通者114bは、例えば、品目102に含められるべき文書を印刷することができ、流通者114cは、例えば、品目102を梱包し、ラベル付けすることができ、流通者114dは、例えば、海外発送のために品目102を他の品目とひとまとめにして、クレート梱包することができ、また、他の工程も可能である。実施態様によっては、2社以上の流通者114が異なる段階において同じ工程を実施することも可能である。例えば、ラベル付けと呼ばれる工程は、流通者104a、104b、および104cにおいて記録され得る。
【００２３】
エンドユーザ施設116は、特別な種類の流通者114とすることができる。エンドユーザ施設116は、販売員、代理人、病院、診療所、および/または品目102が保管されている他の施設とすることができる。中間の関連のエンドユーザ施設116の例には、それだけに限らないが、病院、手術室、緊急治療室、病棟、X線科、検査室、緊急車両、医療用移動ユニット/車両、重症者管理施設、養護ホーム、診療所、外来手術センタ、歯科医院、カイロプラクティックセンタ、足病学センタ、提供者施設、医療器具、設備、製品、サービスの流通者、放射線科施設、麻酔施設、中間、短期、もしくは長期治療施設、身体的医学的リハビリテーション施設、透析センタ、点滴治療センタ、外来患者提供者センタ、入院患者提供者センタ、放射線治療センタ、ペインクリニック、内科医院、および/または薬局が含まれる。
【００２４】
提供者118は、品目102をエンドユーザ120と関連付けることができる。場合によっては、提供者118は、医師、歯科医、看護士、または他の医療提供者とすることができる。場合によっては、エンドユーザは、提供者118から医療サービスを受ける患者とすることができる。一実施態様において、外科医提供者118は、患者エンドユーザ120に美容整形、整形、心臓または他のインプラントを移植することができる。別の実施態様において、看護士提供者118は、足首を捻挫したエンドユーザ120に1対の松葉杖を提供することができる。提供者118の例には、それだけに限らないが、販売員、代理人、看守、医師、歯科医、薬剤師、病院提供者、病院サービス、病院従業員、外科医、専門医、手術室助手、手術室従業員、緊急治療室提供者、緊急治療室サービス、緊急治療室従業員、病棟提供者、病棟サービス、病棟従業員、病棟外科医、病棟エンドユーザ提供者、病棟エンドユーザ助手、放射線科医、放射線科提供者、放射線科外科提供者、放射線科スタッフ、放射線科個人、放射線科専門職、放射線科補助ユーザ、放射線科設置者、放射線科助手、放射線科従業員、放射線科技師、放射線科管理者、放射線科設備提供者、放射線科設備カウンタ、放射線科提供者エンドユーザ助手、検査室提供者、検査室専門家、検査室専門医、検査室専門職、検査室運営者、検査室技師、検査室外科医、検査室設置者、検査室エンドユーザ助手、検査室スタッフ、緊急車両提供者、緊急車両応答者、緊急車両運営者、緊急車両技師、緊急対応チームメンバ、緊急対応チーム応答者、緊急対応チーム提供者、緊急対応チーム運営者、緊急対応チーム内科医、移動ヒース・ケア・ユニット提供者、移動ヒース・ケア・ユニット運営者、移動ヒース・ケア・ユニット・サービス提供者、移動ヒース・ケア・ユニット技師、移動ヒース・ケア・ユニット専門医、移動ヒース・ケア・ユニット設備提供者、移動医療ユニットサービス、移動医療ユニット技師、重症者管理提供者、重症者管理施設提供者、重症者管理施設メンバ、重症者管理施設助手、重症者管理施設従業員、重症者管理施設代理人、重症者管理施設長、重症者管理施設名簿記載代理人、重症者管理施設認可代理人、重症者管理施設登録代理人、重症者管理施設承認提供者、重症者管理施設認可提供者、重症者管理施設登録提供者、重症者管理施設認証提供者、重症者管理施設認定提供者、重症者管理施設法定提供者、重症者管理施設有資格提供者、薬剤師、薬局提供者、薬局技師、薬局専門医、薬局運営者、薬局専門家、薬局専門職、薬局サービス、薬局従業員、薬局設置者、薬局管理部門、薬局エンドユーザ助手、薬局エンドユーザ相談員、薬局有害反応モジュールユーザ、薬局購買、薬局ユーティリティ、薬局良心管理者、および/または薬局エンドユーザ提供者が含まれる。
【００２５】
構成によっては、提供者118をエンドユーザ施設116と関連付けることができる。一実施態様において、提供者はグループクリニックの外部で開業することができる。構成によっては、提供者118は、エンドユーザ施設116から独立していることができ、その場合エンドユーザ施設116は流通者114のように機能し得る。例えば、個人開業医提供者118は、日常的には多くの品目を仕入れない小規模な診療を営むことができるが、個人開業医提供者118は、必要に応じて適切な流通者114に必要に応じて品目102を注文することができる。別の実施態様では、販売員が顧客から注文を受けることが可能であり、代理人が保険契約を決定することが可能であり、看守が被収容者にGPS追跡用腕輪を割り当てることが可能である。
【００２６】
原製造者112、流通者114、エンドユーザ施設116、提供者118、およびエンドユーザ120は、インターネットなどのネットワーク122を介して世界品目追跡クラウド124に報告することができる。コンピューティングクラウドは、本明細書で使用する場合、基礎をなすコンピュータインフラストラクチャの抽象概念である。原製造者112、流通者114、エンドユーザ施設116、提供者118、およびエンドユーザ120が品目102を受け取り、発送し、または別の方法で取り扱う際には、取扱いに関する情報を世界品目追跡クラウド124に報告することができる。また、日付、時刻、関連付けられた人々およびイベント、他のデータなどの追加情報も、世界品目追跡クラウド124に報告することができる。一実施態様では、世界品目追跡クラウド124は、州および/または省レベルの品目追跡クラウドから構成され得る全国品目追跡クラウドのサブシステムを含むコンピュータシステムとすることができる。全国および州の品目追跡クラウドは、各州内、各国内、各州間、および各国間を移動する品目に関連したデータを追跡するために、通信可能に内部接続し、かつ/または相互接続することができる。
【００２７】
実施態様によっては、ウェブブラウザやデータベースアプリケーションなどのコンピュータシステムに情報を入力することができる。実施態様によっては、バーコードをスキャンすることもでき、無線周波数識別（RFID）タグを感知することもでき、感知またはスキャンに関する情報およびセンサまたはスキャナに関する情報を世界品目追跡クラウド124に送信することもできる。例えば、原製造者112は、品目102を作成し、品目102をクイックレスポンス（QR）バーコードと共に箱に保管することができる。品目102が発送される前に、原製造者112は、所在地、時間、および製造情報を記憶しているQRバーコードをスキャナでスキャンすることができる。スキャナは世界品目追跡クラウド124に情報を送ることができる。この例では、後で、エンドユーザ施設116は、品目102と品目102に関連付けられたRFIDタグとを含む発送品を受け取ることができる。エンドユーザ施設116は、発送品をスキャンし、RFIDタグを検出し、世界品目追跡クラウド124に報告することができる。
【００２８】
実施態様によっては、品目追跡システム100は、電子的手段による緊急事態への準備対応;調整、追跡、および報告;健康および安全性のモニタリング;サービスや他の電子商取引の自動支払いなどの金融機能;ロット、製造者もしくは品目リスト、または通し番号に基づく保管寿命および保証の追跡;転帰、有効性、および有害反応の予防を含む品目の分析を円滑化するための機能を提供することができる。
【００２９】
図2に、医療器具などの品目に関連したデータを記憶するための例示的なコンピューティングクラウド200を示す。実施態様によっては、クラウド200は、例えば、合衆国、ミシガン州、またはウェイン郡について医療器具を追跡するためなど、世界品目追跡クラウド124における全国、州、または郡レベルの品目追跡クラウドとして使用することができる。
【００３０】
実施態様によっては、コンピューティングクラウドは、ハードウェア、プログラム、またはデータおよび/もしくは機能がどのようにして提供されるかについての詳細ではなく、システムにおけるデータおよび/または機能を定義する、コンピュータシステムの、機械的表現ではない、論理表現とすることができる。ハードウェア、プログラム、および詳細の選択は、当技術分野において公知の方法を使用し、価格、スケーラビリティ、信頼性、可用性などの要因に基づいて行うことができることを当業者は理解するであろう。
【００３１】
品目クラウド202は、医療器具などの品目に関連したデータを記憶するのに使用されるクラウドとすることができる。実施態様によっては、品目の製造者、流通者、エンドユーザ施設、提供者、またはエンドユーザから受け取られる情報を品目クラウド202に記憶することができる。
【００３２】
原製造者クラウド204は、器具製造者に関連したデータを記憶するのに使用されるクラウドとすることができる。実施態様によっては、この情報は、製造の名前および連絡先情報、製造者が所有するすべての物理的場所のリスト、当該製造者が生産する品目の種類のリスト、および/または他の情報を含むことができる。
【００３３】
流通者/エンドユーザ施設206は、品目を取り扱うことができる流通者および/またはエンドユーザ施設に関連したデータを記憶するのに使用されるクラウドとすることができる。実施態様によっては、この情報は、品目が受け取られ、または発送される日付、品目に適用される工程、および/または他の情報を含むことができる。
【００３４】
提供者クラウド208は、医療提供者に関連したデータを記憶するのに使用されるクラウドとすることができる。実施態様によっては、この情報は、品目を使用して医療提供者によって講じられた措置に関連したデータおよび医療レコードを含むことができる。追加情報は、医療提供者の経歴情報、免許情報、課金情報、予約情報、および/または他のデータを含むことができる。
【００３５】
エンドユーザ210は、品目と関連付けられたエンドユーザおよび/または患者に関連したデータを記憶するのに使用されるクラウドとすることができる。実施態様によっては、この情報は、エンドユーザの連絡先情報、金融情報、経歴情報、人口統計情報、地理情報、および/または他のデータを含むことができる。
【００３６】
予防クラウド212は、エンドユーザと品目との間の有害反応を記憶し、判定するのに使用されるクラウドとすることができる。実施態様によっては、品目がエンドユーザに割り当てられるときに、予防クラウド212は、品目に関連したデータとエンドユーザに関連したデータとを調べて、潜在的使用と関連付けられる可能な、または可能性の高い有害反応があるかどうか判定することができる。
【００３７】
実施態様によっては、合衆国国境外部の品目製造に関連した情報を、原製造者国際クラウド214に記録することができる。法律および習慣の差異により、さらに別の原製造国際クラウドを単一の国家または国家群と関連付けることもできる。原製造者国際クラウド214内の情報は、原製造者クラウド204内の関連情報と関連付けることができる。例えば、外国の製造者は、国内での販売流通のために合衆国における代理人を雇うことができる。他の国々についてコンピューティングクラウドにおいては、さらに別の、または異なる原製造者および原製造者国際クラウドを使用して、当該国の法律および習慣の要件を満たすことができることが理解されるであろう。
【００３８】
転帰クラウド216は、医療処置、医薬品療法の経過、またはコンピューティングクラウド200に記録された他の活動の転帰に関する情報を記憶するのに使用されるクラウドとすることができる。一例では、品目クラウド202においてその情報が追跡される医薬品を、その情報がエンドユーザ210において追跡される100名の患者からなる試験集団に処方することができる。医薬品は、その情報が提供者クラウド208において追跡される単一の提供者によって処方され得る。医薬品は外国で製造することができ、製造者および国内代理人に関連した情報は、原製造者クラウド204および原製造者国際クラウド214において追跡することができる。100名の患者が医薬品を処方された後で、結果に関する情報が、試験をモニタする通常の過程の一部としてエンドユーザ210において追跡される。試験が進行するに従って、結果がモニタされ、転帰クラウド216において集約される。
【００３９】
報告クラウド218は、クラウド200の外部のコンピュータシステムを含むコンピュータシステムに報告書を送るクラウドとすることができる。例えば、記録者要求、保険金請求、電子請求書、外部の、またはレガシー医療記録システムとの通信などを、報告クラウド218によって取り扱うことができる。各報告書は、システム200からの一つまたは複数のイベントからの情報を含むことができる。
【００４０】
クラウド202〜212内のデータは、内部で関連付けることもでき、他のクラウド202〜212内のデータと相互に関連付けることもできる。実施態様によっては、異なるクラウド内のデータを整理し、コードと関連付けることができ、それらのコードを関連したデータを見つけるのに使用することもできる。例えば、原製造者のデータは、データと関連付けられた特定のコードと共に原製造者クラウド204に記憶することができる。当該製造者によって作成された品目に関連したデータは、同じ関連付けコードと共に品目クラウド202に記憶することができる。この特定のコードを使用して、製造者によって作成された一つまたは複数の器具の製造者を識別することができる。
【００４１】
いくつかの代替の態様、例えば、医療器具と無関係な、任意選択で、予防クラウド212のない態様において、クラウド200は、食品、自動車部品、住宅、映画、通信、金銭、エネルギー、資格、保険証券、新生児、GPS位置決め装置、電子商取引、および電子政府を追跡するのに使用することができる。
【００４２】
クラウド200に記憶されるデータの一部は、口述インターフェースを使用して医療提供者または他のユーザによって作成され得る。例えば、遠隔地の提供者は、医療センタに帰属しているにせよ、いないにせよ、コンピュータに医療情報を口述することができ、コンピュータはその口述を分析して医療レコードのテキストを生成することができる［［例えば、患者を介護している患者自宅提供者は、医療保健レコードに直接アップロードすることができる］］。
【００４３】
クラウド200に記憶されるデータの一部は、医療用撮像機器および感知機器によって作成することができる。例えば、MRI機は医療画像を生成することができ、その医療画像を、提供者、エンドユーザ施設、および/またはエンドユーザと関連付けることができる。
【００４４】
図3Aに、個々の個人識別番号（PIN）制御を用いた品目ユーザ追跡システムにおける行為者および関連付けの例示的リスト300を示す。例えば、リスト300は、行為者に関連したデータおよびレコードを一意に、もしくは非一意に識別し、探し出すのに使用され、またはそのようなデータにアクセスするためのパスワードとして使用されるコードもしくはキーについての基準を示すことができる。あるいは、これらのコードまたはキーは、他のデータによって一意に、または非一意に索引付けされたエンティティを記述するのに使用されてもよい。これらのコードは、単独で使用することもでき、無作為または順次のデータ、時間と空間とを反映する環境から収集または記録されたデータ、他のデータなどのさらに別のデータと併用することもできることが当業者には理解されるであろう。
【００４５】
行為者312は、追跡され得る品目に関連した可能な行為者のリストを含むことができる。コードの種類314は、行為者に割り当てられるコードの種類を含むことができる。注記316は、同じ列内の他のエントリに関連した追加の付随する情報を含むことができる。
【００４６】
製造者302は、品目の初期作成に責任を負う行為者とすることができる。製造者302は、製造者302a、例えば、製造施設を所有し、または運営する企業の名称やタイトルなどを含むことができる。製造者302は、原製造者302b、例えば、所在地情報や国内代理人の識別などを含むことができる。製造者302は、国内で製造された品目についての米国原製造者302cを含むことができる。いくつかの政府機関によって使用される規則など、システムによっては、製造者302は、流通者が原製造者302bとは別個の完全に独立した組織であるときでさえも、流通者302dを含むとみなされる。
【００４７】
最終流通者304は、流通者302dの特殊事例とすることができる。最終流通者304は、品目を提供者306に提供する流通者302dとすることができる。提供者306は、品目をエンドユーザ310と関連付ける行為者とすることができる。関連付けの例は、処方、割当て、移植、注文などである。
【００４８】
親会社302b、製造者所在地302c、流通者302d、および最終流通者304の各コードは、HIBCC（Health Industry Business Communications Council）、UNSPSC（United Nations Standard Products and Services Code）、全国医薬品コード（NDC（National Drug Code））、SG1、VACS、UMDNS（Universal Medical Device Nomenclature System）、HCPC（Healthcare Common Procedure Coding System）によって使用されるコード、ならびに/または商取引および監督機関によって使用されるコードなど、他の組織によって使用されるコードに一部基づくコードとすることができる。
【００４９】
提供者306コードは、医師、看護士、または介護者と、提供者306によって使用され、処方され、移植され、または別の方法で利用される任意の品目とに割り当てることができる。提供者306コードは、提供者306に割り当てられた、免許機関、例えば、州医師免許機関などによって使用される有効期限付きのコードに一部基づくコードとすることができる。
【００５０】
品目308は、親会社302bによって作成され、割り当てられた一意のコードを有し得る。あらゆる親製造者302bコードが一意であり、あらゆる品目308コードが当該親製造者302bについて一意である場合、あらゆる品目308は一意に識別することができる。
【００５１】
エンドユーザ310は、品目308を使用する患者または他の人物とすることができる。例えば、エンドユーザ310は、外科移植品目308を受けることができる。実施態様によっては、エンドユーザ310コードは、地理情報（例えば郵便番号や電話市外局番など）、人口統計データ（例えば、人種、年齢、および/または生年月日など）、または他のデータに一部基づくコードとすることができる。実施態様によっては、エンドユーザ310コードは、エンドユーザ310に関連したどんな要因からも独立のものとすることができる。またエンドユーザ310コードは、患者PINまたは他のパスワードを含むこともできる。このPINまたはパスワードは、エンドユーザ310が個人情報の秘匿性および安全性を確保するのに使用することができる。
【００５２】
図3Bに、個々の個人識別番号（PIN）制御を用いた品目ユーザ追跡システムにおける行為者および関連付けとの例示的リスト350を示す。リスト例350において、あるデータエントリは一意であり、あるデータエントリは非一意である。リスト350は、データリポジトリにおいてリスト300に記載されているエンティティを分類整理するのに使用することができる。
【００５３】
製造者および最終流通者352は、特定の地域内のエンティティに索引付けするのに使用される公式のコードによって一意に識別することができる。例えば、HIBCC（Health Industry Business Communications Council）、UNSPSC（United Nations Standard Products and Services Code）、全国医薬品コード（NDC（National Drug Code））、SG1、VACS、UMDNS（Universal Medical Device Nomenclature System）、HCPC（Healthcare Common Procedure Coding System）によって使用されるコード、ならびに/または商取引および監督機関によって使用されるコードなど、組織によって使用されるコードに一部基づくコードは、索引付けされる製造者および最終流通者ごとに一意であると想定することができ、それらのコードは、データリポジトリにおいてそのようなエンティティに一意に索引付けするのに使用することができる。
【００５４】
提供者354は、3つのデータフィールド、認証、専門、および一意の識別の組み合わせによって一意に識別することができる。認証フィールドは、提供者354と関連付けられた一つまたは複数の種類の認証、学位、免許、または認定を指定することができる。専門分類は、提供者354と関連付けられた診療の専門または分野を識別することができる。一意の識別番号は、提供者354と関連付けることができる。認証、専門、および一意の識別の組み合わせを、データリポジトリにおいて提供者ごとの単一の索引として使用することができる。
【００５５】
品目356は、3つのデータフィールド、品目コード、型式コード、および通し番号の組み合わせによって一意に識別することができる。品目コードは、用途または構造に基づいて品目を類別するのに使用される公式のコードとすることができる。実施態様によっては、すべての製造者352が同じ品目コード指定規則を共用し、異なる製造者によって作られる類似の品目が同じ品目コードを共用する。型番は、品目の製造者が品目の特定の型式に割り当てることができる。実施態様によっては、一部または全部の製造者が同じ型式コード指定規則を共用せず、異なる製造者によって作られた異なる製品または類似の製品の異なる型式が同じ型番を有する場合もある。しかし、実施態様によっては、同じ品目コードを有する品目のどの2つの型式も同じ型番を持たない場合もある。通し番号は、品目の製造者によってある型式の各品目に割り当てられ得る。実施態様によっては、各通し番号は、特定の型式コードと品目コードの組み合わせに対してだけ一意とすることができる。
【００５６】
品目コード、型式コード、および通し番号のいずれもすべての品目について例外なく一意ではない可能性もあるが、任意の特定の品目コード、型式コード、および通し番号の組み合わせは品目ごとに一意とすることができ、この組み合わせを使用して、データリポジトリにおいて各品目を一意に索引付けすることができる。
【００５７】
エンドユーザ358は、データリポジトリにおいて非一意に識別されてもよい。実施態様によっては、エンドユーザおよび/または集団全般の公式文書化が、不完全で、不正確で、かつ/または信頼性が低い場合もある。人口統計データは、例えば、国際標準化機構（ISO（International Organization for Standardization））の地理的識別方式などに従って、エンドユーザ358ごとに収集することができる。公式の索引は、エンドユーザ358ごとに収集することができる。囚人識別番号や兵役番号など、公式の索引の中には、一意であるとみなされ得るものがある。社会保障番号など公式の索引の中には、一意であるように設計され得るが、使用パラメータのために、非一意または非汎用とみなされ得るものもある。
【００５８】
人口統計データ、公式の索引、および他の索引の組み合わせを使用して、データリポジトリにおいてエンドユーザ358が非一意に識別されてもよい。例えば、エンドユーザ358における情報の一部だけが知られている場合、または全情報が二名以上のエンドユーザを識別する場合には、データリポジトリに単一のエンドユーザを求める要求に応答して、ユーザ（人間、コンピュータなど）に、複数のエンドユーザが与えられる場合がある。
【００５９】
図4は、品目および/またはエンドユーザに関連した情報を記録する工程400の例を示す流れ図である。実施態様によっては、工程400は、例えば、品目追跡システム100および/またはクラウド200によって実施することができる。
【００６０】
工程400は、原製造者から品目に関する製造情報を受け取る段階402を含むことができる。実施態様によっては、段階402は、原製造者クラウド204および/または原製造者国際クラウド214によって実施することができる。例えば、原製造者は、日付、時刻、通し番号、ロット、発送番号、または品目に関する他の情報を報告することができる。
【００６１】
工程400は、品目追跡レコードを作成する段階404を含むことができる。実施態様によっては、段階404は、品目クラウド204によって実施することができる。例えば、製造情報を受け取り402次第、品目に関連したデータレコードを作成することができる。さらに、品目に関連したデータを、品目追跡レコードに、または品目追跡レコードに関連して記憶することもできる。
【００６２】
工程400は、流通者から品目に関する流通情報を受け取る段階406を含むことができる。実施態様によっては、段階406は、流通者/エンドユーザ施設クラウド206によって実施することができる。例えば、倉庫、補助製造処理施設、他の施設などの流通施設は品目を受け取ることができる。これらの施設は、原製造者に類似した情報および/または異なる情報を報告することができる。
【００６３】
工程400は、受取り情報、関連付け情報、またはエンドユーザ情報を品目追跡レコードに付加する段階408を含むことができる。実施態様によっては、段階408は、品目クラウド202によって実施することができる。品目に関連した情報を受け取り次第、受取り情報を、品目と関連付けられた品目追跡レコードに付加することができる。実施態様によっては、図3に記載されるようなコードを使用して、特定の品目追跡レコードを整理し、記憶し、検索することができる。
【００６４】
工程400は、エンドユーザ施設から品目に関する情報を受け取る段階410を含むことができる。実施態様によっては、段階410は、流通者/エンドユーザ施設クラウド206によって実施することができる。例えば、エンドユーザ施設は、品目の受取りに関する情報、品目がどのようにして、かつ/もしくはどこに保管されているか、または他の情報を報告することができる。
【００６５】
工程400は、提供者から品目に関する設置情報を受け取る段階412を含むことができる。実施態様によっては、段階412は、提供者クラウド208によって実施することができる。例えば、品目を含む医療処置に関連した情報を報告することができる。実施態様によっては、この情報は、薬剤処方、課金情報、および/または提供者指示などの、品目に直接関連していない医療処置に関連した医療レコードを含むことができる。
【００６６】
工程400は、エンドユーザから品目に関するエンドユーザ情報を受け取る段階414を含むことができる。実施態様によっては、段階402は、エンドユーザクラウド210によって実施することができる。例えば、エンドユースは、その保険情報、人口統計情報、および/または連絡先情報を報告することができる。
【００６７】
工程400は、製造情報、流通情報、受取り情報、設置情報、およびエンドユーザ情報のうちの2つ以上を関連付ける段階416を含むことができる。実施態様によっては、段階402は、予防クラウド212および/または転帰クラウド216によって実施することができる。
【００６８】
工程400は、製造情報、流通情報、受取り情報、設置情報、およびエンドユーザ情報のうちの一つの少なくとも一部を含む情報を報告する段階418を含むことができる。例えば、エンドユーザ情報と設置情報を関連付けて、金融取引クラウドによる支払いを実行するための金融情報を含む報告書を作成することができる。報告書は、エンドユーザの自動請求書支払いのための銀行などの金融機関に送ることができる。
【００６９】
別の例では、特定の品目が不良であることを見つけることができる。この例では、品目を取り扱ったすべての施設および人々の転帰クラウド216によって編さん資料を生成することができる。同様に取り扱われ、不良であることが見出された、同じまたは類似の種類の品目の個数を詳述する報告書を生成することができる。この報告書を使用して、欠陥のある施設および処置を突き止めることができる。
【００７０】
別の例では、提供者と関連付けられたすべてのエンドユーザを転帰クラウド216によって識別することができる。識別されたエンドユーザに関する匿名情報をリストした報告書を表示させることができる。報告書は、例えば、6ヶ月、3年、もしくは他の期間経過後の処置の成功率、保険に加入していない患者の割合、他の情報などを示すことができる。
【００７１】
別の例では、患者は、同じ患者に処方される別の投薬と一緒に摂取した場合に有害反応を生じ得る薬剤を処方される可能性がある。有害反応は予防クラウド212によって識別することができ、処方を出す提供者、どちらかの処方薬を調合する薬剤師、および/または薬剤を摂取するエンドユーザのために報告書を生成することができる。
【００７２】
図5に、一意の医療器具の医療情報および関連詳細、ならびにエンドユーザ情報を表示する例示的報告書500を示す。例えば、報告書500は、患者などのエンドユーザに、エンドユーザによって使用された医療器具に関連した医療器具追跡クラウドに記憶された情報を示すことができる。図示の例示的報告書500は、情報を折りたたみ式ツリー構造として表示するグラフィカル・ユーザ・インターフェース（GUI）である。代替の報告書は、それだけに限らないが、グリッド、リスト、テキスト概要、または他の形式を含む異なる形式で情報を表示するGUIとすることもできる。代替の報告書は、ページ上の印刷情報、コンピュータ可読媒体に保存されたデータ、音声による報告書、または他の構成とすることもできる。
【００７３】
報告書500は、報告書の目的を表示する、例えば、表示されるデータの目的の読者および種類を含む表題502を備えることができる。報告書500に提示されるデータは、表題に直接的、または間接的に関連したものとすることができる。
【００７４】
データ504は、基本または基礎データ、例えば、報告書に記載される医療器具の種類のリストなどとすることができる。データ506は、データ504に関連もしくは従属して分類もしくは整理されるデータ、例えば、報告書に記載される医療器具を製造した企業の名称などとすることができる。またデータ510も、データ504に関連もしくは従属して分類もしくは整理されるデータ、例えば、医療器具と関連付けられた安全性および製品回収データなどとすることができる。データ508は、データ506に関連もしくは従属して分類もしくは整理されるデータとすることができ、例えば、医療器具を製造した施設の所在地をリストすることができる。実施態様によっては、報告書500が、データ504〜518の「＋」または「-」符号のマウスクリックなどの入力を受け取る場合には、追加データを示したり、データを隠したりすることもできる。例えば、医療器具を取り扱った流通者に関する情報を含み得るデータ508の下の追加情報を隠すことができる。
【００７５】
医療器具に関連したデータは、データがコンピューティングクラウド、データベース、または他のデータ記憶システムにおいて記憶されている間に取り得る形と無関係な形式で報告書500に表示することができる。例えば、データ512は、外科医などの提供者によって実施された医療処置に関する情報とすることができる。データ514は、提供者に関する追加情報とすることができ、データ512の下に表示することができる。データ516は、提供者が医療器具を患者に移植した、診療所などのエンドユーザ施設に関する情報とすることができる。データ514とデータ516とは、たとえコンピューティングクラウドにおいては異なる方式または関係として記憶され得るとしても、データ512の下に表示することができる。
【００７６】
報告書500に、関連データへの関係、例えばハイパーテキストリンクなどを、表示することができる。例えば、データ518は、データ512に記載された提供者に関する情報を含む別の報告書へのハイパーテキストリンクを含むことができる。
【００７７】
報告書500に追加データを含めることができる。追加データは、エンド・ユーザ・ログイン情報、提供される情報に基づく関連情報の参照および/または他の情報を含むことができる。
【００７８】
報告書500は、データの一部または全部を隠し、または匿名にするように変更することができる。例えば、報告書500は、データ514〜518を除去することができる。この例では、修正された報告書500は、データ504に記載される医療器具に関連したデータを収集する研究者への公開および/または研究者による使用に適するものとすることができる。
【００７９】
図6Aに、入力アクセスレベルを設定するための例示的グラフィカル・ユーザ・インターフェース600を示す。例えば、GUI600は、ウェブページ、アプリケーションインターフェース、またはユーザから情報を受け取る他の方法とすることができる。GUI600は、例えば、患者に関連した医療レコードを入力し、これを編集する許可を設定するのに使用することができる。
【００８０】
一実施態様では、収集した医療データを、種類に基づいてグループ化し、列602に表示することができる。列602の医療データへのアクセス権を受けてよい関係者は、さらに別の列604および606に表示することができる。
【００８１】
一実施態様では、歯科医を列604に表示することができ、プライマリケア診療所を列606に表示することができる。別の構成では、利害関係グループに、食品医薬品局（Food and Drug Administration）、保健福祉省（Health and Human Services）などの政府機関、または独立の医学研究組織、世論調査組織、家族、他のグループなどの非政府団体を含むことができる。
【００８２】
医療データは、論理カテゴリへとソートし、行として表示することができる。一実施態様では、歯科医療レコードを行612に表示することができ、股関節インプラントに関連した器具追跡情報を含む股関節置換レコードを行614に表示することができ、患者から除去されたインプラントに関連するデータを行616に示すことができる。
【００８３】
GUI600における行/列の交点は、データアクセス権を選択するためのドロップダウンボックスを含むことができる。ドロップダウンボックス内の選択肢には、関連付けられた医療レコードへの書込みアクセス権、または関連付けられた医療レコードへの書込みアクセス権なしを含むことができる。一構成では、列604と行612との交点は、歯科医Dr.Kimが有し得るユーザの歯科レコードのすべてへの完全な書込みアクセス権を表すことができる。別の構成では、列606と行616との交点は、City Clinicが有し得る、別の診療所において提供者によって移植され、除去された美容整形インプラントへの書込みアクセス権の否認を表すことができる。
【００８４】
図6Bに、出力アクセスレベルを設定するための例示的グラフィカル・ユーザ・インターフェース625を示す。例えば、GUI625は、ウェブページ、アプリケーションインターフェース、またはユーザから情報を受け取る他の方法とすることができる。GUI625は、例えば、患者に関連した医療レコードを、患者と関連付けられた医療器具を製造し、流通させ、保管し、または追跡した組織に送る許可を設定するのに使用することができる。
【００８５】
一実施態様では、収集した医療データを、種類に基づいてグループ化し、列627に表示化することができる。列627の医療データへのアクセス権を受けてよい関係者は、さらに別の列629および631に表示することができる。
【００８６】
一実施態様では、美容整形インプラント製造者を列629に表示することができ、歯科薬剤コンサルタント会社を列631に表示することができる。別の構成では、利害関係グループに、食品医薬品局、保健福祉省などの政府機関、または独立の医学研究組織、世論調査組織、家族、他のグループなどの非政府団体を含むことができる。
【００８７】
医療データは、論理カテゴリへとソートし、行として表示することができる。一実施態様では、歯科医療レコードを行637に表示することができ、股関節インプラントに関連した器具追跡情報を含む股関節置換レコードを行639に表示することができ、患者から除去されたインプラントに関連するデータを行641に示すことができる。
【００８８】
GUI625における行/列の交点は、データアクセス権を選択するためのドロップダウンボックスを含むことができる。ドロップダウンボックス内の選択肢には、関連付けられた医療レコードへの出力受取りアクセス権、または関連付けられた医療レコードへの出力受取りアクセス権なしを含むことができる。一構成では、列629と行641との交点は、化粧品製造者CosmeCo Incが有し得る、ユーザの歯科レコードのすべてへの完全な出力受取りアクセス権を表すことができる。別の構成では、列631と行641との交点は、Fluoridated Solutions Internationalが有し得る、歯科薬剤と無関係な美容整形インプラントへの出力受取りアクセス権の否認を表すことができる。
【００８９】
図6Cに、集中アクセスレベルを設定するための例示的グラフィカル・ユーザ・インターフェース675を示す。例えば、GUI650は、ウェブページ、アプリケーションインターフェース、またはユーザから情報を受け取る他の方法とすることができる。GUI650は、例えば、患者に関連した医療レコードを外部の医療レコード追跡システムに送る許可や、医療緊急時に集中医療情報を許可された提供者または救急救命関係者に公開するために提示する許可を設定するのに使用することができる。
【００９０】
一実施態様では、収集した医療データを、種類に基づいてグループ化し、列652に表示することができる。列652の医療データへのアクセス権を受けてよい関係者は、さらに別の列654および656に表示することができる。
【００９１】
一実施態様では、第1のレガシー医療レコードシステムを列654に表示することができ、第2のレガシー医療レコードシステムを列656に表示することができる。別の構成では、利害関係グループに、食品医薬品局、保健福祉省などの政府機関、または独立の医学研究組織、世論調査組織、家族、他のグループなどの非政府団体を含むことができる。
【００９２】
医療データは、論理カテゴリへとソートし、行として表示することができる。一実施態様では、歯科医療レコードを行662に表示することができ、股関節インプラントに関連した器具追跡情報を含む股関節置換レコードを行664に表示することができ、患者から除去されたインプラントに関連するデータを行666に示すことができる。
【００９３】
GUI650における行/列交点は、データアクセス権を選択するためのドロップダウンボックスを含むことができる。ドロップダウンボックス内の選択肢には、関連付けられた医療レコードへの出力受取りアクセス権、または関連付けられた医療レコードへの出力受取りアクセス権なしを含むことができる。一構成では、列654と行666との交点は、第1のレガシー医療レコードシステムが有し得る、ユーザの歯科レコードのすべてへの完全な出力受取りアクセス権を表すことができる。別の構成では、列656と行666との交点は、第2のレガシー医療レコードシステムが有し得る、歯科薬剤と無関係な美容整形インプラントへの出力受取りアクセス権の否認を表すことができる。
【００９４】
図6Dに、セキュリティ・アクセス・レベルを設定するための例示的グラフィカル・ユーザ・インターフェース650を示す。例えば、GUI675は、ウェブページ、アプリケーションインターフェース、またはユーザに関する情報を受け取る他の方法とすることができる。GUI675は、例えば、守秘権および医療レコードへの読取りアクセスレベルを設定するのに使用することができる。
【００９５】
一実施態様では、収集した医療データを、種類に基づいてグループ化し、列677に表示することができる。列677の医療データへのアクセス権を受けてよい関係者は、さらに別の列679〜685に表示することができる。一実施態様では、歯科医を列679に表示することができ、プライマリケア診療所を列681に表示することができ、政府機関などの利害関係グループを列683に表示することができ、特定の研究プロジェクトを列685に表示することができる。別の構成では、利害関係グループに、食品医薬品局、保健福祉省などの政府機関、または独立の医学研究組織、世論調査組織、家族、他のグループなどの非政府団体を含むことができる。
【００９６】
医療データは、論理カテゴリへとソートし、行として表示することができる。一実施態様では、歯科医療レコードを行687に表示することができ、股関節インプラントに関連した器具追跡情報を含む股関節置換レコードを行689に表示することができ、患者から除去されたインプラントに関連するデータを行691に示すことができる。
【００９７】
GUI675における行/列交点は、データアクセス権を選択するためのドロップダウンボックスを含むことができる。ドロップダウンボックス内の選択肢には、関連付けられたデータへの完全な読取りアクセス権、識別データを含まない匿名アクセス権、または関係者がデータを知ること、もしくはデータにアクセスすることを妨げる隠ぺいもしくはアクセス阻止を含むことができる。一構成では、列679と行687との交点は、歯科医Dr.  Kimが有し得る、ユーザの歯科レコードのすべてへの完全なアクセス権を表すことができる。別の構成では、列685と行691との交点は、研究プロジェクトX49のメンバが有し得る、除去されたインプラントへの匿名アクセス権を表すことができる。
【００９８】
図7は、追跡システムに新しいデータを追加する工程700の例を示す流れ図である。実施態様によっては、工程700は、例えば、品目追跡システム100および/またはクラウド200によって実施することができる。
【００９９】
工程700は、追跡されるべき新しい対象物を識別する段階702を含むことができる。例えば、新しい対象物が発生し、またはそれが追跡システムによって追跡され得るような状態になる場合を考える。新しい対象物に関する情報の受取りに備えて、追跡システムのレコード、データフィールド、メモリオブジェクト、または他の対象物を作成することができる。
【０１００】
工程700は、新しい対象物に創始者を関連付ける段階704を含むことができる。例えば、追跡システムは、新しい対象物、ならびに新しい対象物の作成または変換と関連付けられる人々、場所、または他の情報を追跡することができる。
【０１０１】
工程700は、新しい対象物に一名または複数の促進者を関連付ける段階706を含むことができる。例えば、追跡システムは新しい対象物;新しい対象物の作成または変換と関連付けられる人々、場所、または他の情報;および新しい対象物の作成または変換を変更または援助した促進者と関連付けられる人々、場所、または他の情報を追跡することができる。
【０１０２】
工程700は、新しい対象物に対象物識別コードを関連付ける段階708を含むことができる。例えば、新しい対象物を、一名または複数の創始者、一名または複数の促進者、および対象物コードへの参照を含むコードを使用して、追跡システムにおいて識別することができる。
【０１０３】
一実施態様において、母親が病院で、提供者の助けを借りて赤ん坊を出産する場合を考える。この実施態様では、赤ん坊を、医療器具患者追跡システムによって追跡することができる。母親は、医療器具患者追跡システムにおいて、製造者およびエンドユーザ（あるいは創始者とも呼ばれる）として赤ん坊と関連付けることができる。病院は、医療器具患者追跡システムにおいて、エンドユーザ施設（あるいは促進者とも呼ばれる）として赤ん坊と関連付けることができる。提供者は、医療器具患者追跡システムにおいて、提供者（あるいは促進者とも呼ばれる）として赤ん坊と関連付けることができる。この実施態様では、創始者、病院、提供者を識別するコードを含み、創始者によって選択されるPIN、および、例えば新生児の法定後見人などによる秘密を含み、出生時における、または出生前の、コード内の番号を使用した選択的な医療レコードの新しい一意の識別および創始を可能にする、医療器具患者追跡システムにおいて赤ん坊を識別するコードを生成することができる。
【０１０４】
別の実施態様では、医療器具を、原製造者が製造し、流通者がクレート梱包し、医師が処方することが可能である。原製造者は、医療器具患者追跡システムにおいて、創始者として医療器具と関連付けることができる。流通者は、医療器具患者追跡システムにおいて、促進者として医療器具と関連付けることができる。提供者は、医療器具患者追跡システムにおいて、促進者として医療器具と関連付けることができる。この実施態様では、創始者と促進者とを識別するコードを含み、創始者によって生成され、分類整理と安全性検査のために第三者に提供される医療器具通し番号を含む、医療器具患者追跡システムにおいて医療器具を識別するコードを生成することができる。
【０１０５】
図8Aに、本明細書で説明する技法を実施するのに使用することのできるコンピューティング機器800およびモバイルコンピューティング機器の例を示す。コンピューティング機器800は、ラップトップ、デスクトップ、ワークステーション、携帯情報端末、サーバ、ブレードサーバ、メインフレーム、他の適切なコンピュータなどの様々な形態のディジタルコンピュータを表すものである。モバイルコンピューティング機器は、携帯情報端末、携帯電話、スマートフォン、他の類似のコンピューティング機器などの様々な形態のモバイル機器を表すものである。図8Aに示す構成要素、それらの接続および関係、ならびにそれらの機能は、例示のためのものにすぎず、本出願において説明され、かつ/または特許請求される本発明の実施態様を限定するためのものではない。ありとあらゆる形態のコンピューティング機器を、音声および画像データ、ならびにリアルタイムのデータを含む、新しい情報または既存の情報を集中し、マージし、アップロードし、転送し、ダウンロードし、関連付け、または管理するように実施することができる。
【０１０６】
コンピューティング機器800は、プロセッサ802、メモリ804、記憶装置806、メモリ804と複数の高速拡張ポート810とに接続する高速インターフェース808、および低速拡張ポート814と記憶装置806とに接続する低速インターフェース812を含むことができる。プロセッサ802、メモリ804、記憶装置806、高速インターフェース808、高速拡張ポート810、低速インターフェース812はそれぞれ、様々なバスを使用して相互接続されており、共通マザーボード上に、または適宜に他の方式で実装されていてよい。プロセッサ802は、高速インターフェース808に結合されたディスプレイ816などの外部入力/出力装置上でGUIのグラフィカル情報を表示するためにメモリ804または記憶装置806に記憶された命令を含む、コンピューティング機器800内で実行するための命令を処理することができる。別の実施態様では、複数のプロセッサおよび/または複数のバスが、適宜、複数のメモリおよび複数の種類のメモリと一緒に使用されてもよい。また、複数のコンピューティング機器が、（例えば、サーババンク、ブレードサーバのグループ、マルチプロセッサシステムなどとしての）必要な動作の部分を提供する各機器と接続されていてもよい。
【０１０７】
メモリ804は、コンピューティング機器800内で情報を記憶する。実施態様によっては、メモリ804は、一つまたは複数の揮発性メモリユニットである。実施態様によっては、メモリ804は、一つまたは複数の不揮発性メモリユニットである。またメモリ804は、磁気ディスクや光ディスクなどの別の形態のコンピュータ可読媒体とすることもできる。
【０１０８】
記憶装置806は、コンピューティング機器800のための大容量記憶を提供することができる。実施態様によっては、記憶装置806は、記憶領域ネットワークもしくは他の構成におけるデバイスを含む、フロッピー・ディスク・デバイス、ハード・ディスク・デバイス、光ディスクデバイス、またはテープデバイス、フラッシュメモリもしくは他の類似の固体メモリデバイス、またはデバイスのアレイなどのコンピュータ可読媒体とすることもでき、コンピュータ可読媒体を含んでいてもよい。コンピュータプログラム製品は、情報担体において感知できるように具体化することができる。またコンピュータプログラム製品は、実行されると、前述のような一つまたは複数の方法を実施する命令を含んでいてもよい。またコンピュータプログラム製品は、メモリ804、記憶装置806、プロセッサ802上のメモリなどのコンピュータ可読媒体または機械可読媒体において感知できるように具体化することもできる。
【０１０９】
高速インターフェース808はコンピューティング機器800のための帯域幅集約的動作を管理し、低速インターフェース812は、帯域幅集約性のより低い動作を管理する。そのような機能の割振りは例示にすぎない。実施態様によっては、高速インターフェース808は、メモリ804と、（例えばグラフィックスプロセッサまたはアクセラレータを介して）ディスプレイ816と、様々な拡張カード（不図示）を受け入れ得る高速拡張ポート810とに結合されている。この実施態様では、低速インターフェース812は、記憶装置806と低速拡張ポート814とに結合されている。低速拡張ポート814は、様々な通信ポート（例えばUSB、ブルートゥース、イーサネット、無線イーサネットなど）を含んでいてよく、キーボード、ポインティングデバイス、スキャナなどの一つまたは複数の入力/出力装置に結合されていてもよく、例えばネットワークアダプタなどを介してスイッチやルータなどのネットワーキングデバイスに結合されていてもよい。
【０１１０】
コンピューティング機器800は、図に示すように、いくつかの異なる形態で実施されてもよい。例えば、コンピューティング機器800は、標準的なサーバ820として実施されてもよく、そのようなサーバのグループにおいて複数倍で実施されてもよい。加えて、コンピューティング機器800は、ラップトップコンピュータ822などのパーソナルコンピュータにおいて実施されてもよい。また、ラック・サーバ・システム824の一部として実施されてもよい。また、キオスクや公共利用センタの一部として実施されてもよい。あるいは、コンピューティング機器800の構成要素が、モバイルコンピューティング機器850などのモバイル機器内の他の構成要素（不図示）と組み合わされてもよい。そのような機器がそれぞれ、コンピューティング機器800およびモバイルコンピューティング機器850のうちの一つまたは複数を含んでいてもよく、システム全体が、相互に通信し合う複数のコンピューティング機器で構成されていてもよい。
【０１１１】
モバイルコンピューティング機器850は、特に、プロセッサ852、メモリ864、ディスプレイ854などの入力/出力装置、通信インターフェース866、および送受信機868を含む。またモバイルコンピューティング機器850は、追加の記憶を提供するための、マイクロドライブや他のデバイスなどの記憶装置も備えていてよい。プロセッサ852、メモリ864、ディスプレイ854、通信インターフェース866、および送受信機868はそれぞれ、様々なバスを使用して相互接続されており、構成要素のうちのいくつかが共通マザーボート上に実装されていても、適宜、別の方式で実装されていてもよい。
【０１１２】
プロセッサ852は、モバイルコンピューティング機器850内で、メモリ864に記憶された命令を含む命令を実行することができる。プロセッサ852は、別個の複数のアナログプロセッサおよびディジタルプロセッサを含むチップのチップセットとして実施されてもよい。プロセッサ852は、例えば、ユーザインターフェースの制御、モバイルコンピューティング機器850によって実行されるアプリケーション、およびモバイルコンピューティング機器850による無線通信など、モバイルコンピューティング機器850のその他の構成要素の調整を可能にし得る。
【０１１３】
プロセッサ852は、ディスプレイ854に結合された制御インターフェース858およびディスプレイインターフェース856を介してユーザと通信し得る。ディスプレイ854は、例えば、TFT（薄膜トランジスタ液晶ディスプレイ）ディスプレイやOLED（有機発光ダイオード）ディスプレイ、あるいは他の適切なディスプレイ技術などとすることができる。ディスプレイインターフェース856は、ディスプレイ854を駆動してユーザにグラフィカル情報および他の情報を提示させるための適切な回路を含み得る。制御インターフェース858は、ユーザからコマンドを受け取り、それらのコマンドをプロセッサ852に送るために変換し得る。加えて、モバイルコンピューティング機器850と他の機器との近距離通信を可能にするように、外部インターフェース862がプロセッサ852との通信を提供してもよい。外部インターフェース862は、例えば、実施態様によっては有線通信を提供してもよく、実施態様によっては無線通信を提供してもよく、複数のインターフェースが使用されてもよい。
【０１１４】
メモリ864はモバイルコンピューティング機器850内で情報を記憶する。メモリ864は、一つまたは複数のコンピュータ可読媒体、一つまたは複数の揮発性メモリユニット、一つまたは複数の不揮発性メモリユニットのうちの一つまたは複数として実施することができる。また、拡張メモリ874が設けられ、例えばSIMM（Single In-Line Memory Module）カードインターフェースなどを含み得る拡張インターフェース872を介してモバイルコンピューティング機器850に接続されていてもよい。拡張メモリ874は、モバイルコンピューティング機器850のための追加の記憶空間を提供してもよく、または、アプリケーションもしくはモバイルコンピューティング機器850のための他の情報を記憶してもよい。具体的には、拡張メモリ874は、前述の工程を実行し、または補足するための命令を含んでいてもよく、セキュアな情報を含んでいてもよい。よって、例えば、拡張メモリ874は、モバイルコンピューティング機器850のためのセキュリティモジュールとして提供されてもよく、モバイルコンピューティング機器850のセキュアな使用を可能にする命令でプログラムされていてもよい。加えて、ハッキングできないようにSIMMカード上に識別情報を配置するなど、セキュアなアプリケーションが追加情報と共にSIMMカードを介して提供されてもよい。
【０１１５】
メモリは、例えば、以下で論じるように、フラッシュメモリおよび/またはNVRAMメモリ（不揮発性ランダム・アクセス・メモリ）を含み得る。実施態様によっては、コンピュータプログラム製品は情報担体において感知できるように具体化される。コンピュータプログラム製品は、実行されると、前述のような一つまたは複数の方法を実施する命令を含む。コンピュータプログラム製品は、メモリ864、拡張メモリ874、プロセッサ852上のメモリなど、コンピュータ可読媒体または機械可読媒体とすることができる。実施態様によっては、コンピュータプログラム製品は、例えば、送受信機868や外部インターフェース862上などで伝搬信号において受け取ることができる。
【０１１６】
モバイルコンピューティング機器850は、通信インターフェース866を介して無線で通信してよく、通信インターフェース866は、必要な場合には、ディジタル信号処理回路を含み得る。通信インターフェース866は、特に、GSM（Global System for Mobile communications）音声通話、SMS（Short Message Service）、EMS（Enhanced Messaging Service）もしくはMMS（Multimedia Messaging Service）メッセージング、CDMA（code division multiple access）、TDMA（time division multiple access）、PDC（Personal Digital Cellular）、WCDMA（Wideband Code Division Multiple Access）、CDMA2000、またはGPRS（General Packet Radioサービス）などの様々なモードまたはプロトコルの下での通信を可能にし得る。そのような通信は、例えば、無線周波数を使用して送受信機868によって行われ得る。加えて、ブルートゥース、WiFi、他のそのような送受信機（不図示）などを使用した短距離通信も行われ得る。加えて、GPS（Global Positioning System）受信機モジュール870も、さらに別のナビゲーション関連および位置決め関連の無線データをモバイルコンピューティング機器850に提供してよく、このデータは、モバイルコンピューティング機器850上で走るアプリケーションによって適宜に使用され得る。
【０１１７】
またモバイルコンピューティング機器850は、オーディオコーデック860を使用して可聴的に通信してもよく、オーディオコーデック860は、ユーザからの発話情報を受け取り、それを使用可能なディジタル情報に変換し得る。オーディオコーデック860は、同様に、例えばスピーカを通して、モバイルコンピューティング機器850のハンドセットなどにおいて、ユーザのための可聴音も生成し得る。そのような音は、音声通話からの音を含んでいてもよく、記録された音（例えば音声メッセージ、音楽ファイルなど）を含んでいてもよく、また、モバイルコンピューティング機器850上で動作するアプリケーションによって生成される音を含んでいてもよい。
【０１１８】
モバイルコンピューティング機器850は、図に示すように、いくつかの異なる形態で実施され得る。例えば、モバイルコンピューティング機器850は、携帯電話880として実施されてもよい。また、スマートフォン882、携帯情報端末、または他の類似のモバイル機器の一部として実施されてもよい。
【０１１９】
本明細書で説明するシステムおよび技法の様々な実施態様は、ディジタル電子回路、集積回路、特別に設計されたASIC（application specific integrated circuits）、コンピュータハードウェア、ファームウェア、ソフトウェア、および/またはこれらの組み合わせとして実現することができる。これらの様々な実施態様は、少なくとも一つのプログラマブルプロセッサを含むプログラマブルシステム上で実行可能であり、かつ/または解釈可能である一つまたは複数のコンピュータプログラムとしての実施態様を含むことができ、プログラマブルシステムは、専用でも汎用でもよく、記憶システム、少なくとも一つの入力装置、および少なくとも一つの出力装置との間でデータおよび命令を受信し、送信するように結合されていてよい。
【０１２０】
これらのコンピュータプログラムは（プログラム、ソフトウェア、ソフトウェアアプリケーション、またはコードとも呼ばれる）、プログラマブルプロセッサのための機械命令を含み、高水準手続き型および/またはオブジェクト指向型プログラミング言語で、かつ/またはアセンブリ/機械言語で実施することができる。本明細書で使用する場合、機械可読媒体およびコンピュータ可読媒体という用語は、機械命令を機械可読信号として受け取る機械可読媒体を含む、機械命令および/またはデータをプログラマブルプロセッサに提供するのに使用される任意のコンピュータプログラム製品、装置、および/またはデバイス（例えば磁気ディスク、光ディスク、メモリ、プログラマブル論理回路（PLD）など）を指す。機械可読信号という用語は、機械命令および/またはデータをプログラマブルプロセッサに提供するのに使用される任意の信号を指す。
【０１２１】
ユーザとの対話を可能にするために、本明細書で説明するシステムおよび技法は、ユーザに情報を表示するための表示装置（例えばCRT（cathode ray tube）やLCD（liquid crystal display）モニタなど）と、ユーザがコンピュータに入力を提供するためのキーボードおよびポインティングデバイス（例えばマウスやトラックボールなど）とを備えるコンピュータ上で実施することができる。ユーザとの対話を可能にするための別の種類の機器も使用することができる。例えば、ユーザに提供されるフィードバックは任意の形態の感覚的フィードバック（例えば視覚フィードバック、聴覚フィードバック、触覚フィードバックなど）とすることができ、ユーザからの入力は、音響、音声、画像、または触覚入力を含む任意の形態で受け取ることができる。例えば、血圧モニタなどの医療用測定機器は、コンピュータに入力を提供することができる。
【０１２２】
図8Bに、本明細書で説明するコンピュータによる方法およびシステムと関連させて使用することができるコンピューティング機器801およびモバイルコンピューティング機器851の代替例を示す。
【０１２３】
図9に、レコード保持者からデータリポジトリへデータを収集するためのコンピュータシステムを示す。データウェアハウス914は、例えば、医療データシステムのエンドユーザに関連するレコードなどのレコードを収集し、集約することができる。収集されるレコードは、例えば、図3Bの索引リストなどに従って索引付けすることができる。
【０１２４】
保健関連機関902は、患者医療レコードを収集し、整理することができる。各保健関連機関902は、異なるコード化、索引付け、および記憶方式を使用することができ、結果として各レコードは、同じ情報または類似情報を保持するときでさえも、異なるデータ形式で保持されることになる。保健関連命令の例には、精神衛生施設、拘置所医療施設、公衆衛生機関（例えば公立の病院や医院など）、民間衛生機関（例えば民間の病院や医院など）、患者治療管理サービス（例えば保険や第三者の医療レコード集約者など）が含まれ得る。
【０１２５】
ライブラリ904は、医療研究、情報、およびニュースを保持することができる。例えば、あるライブラリ904は、第1のデータ形式で記録された公知の医薬品相互作用のデータセットを含み得る。第2のライブラリ904は、回収品目のリストを含み得る。
【０１２６】
政府レコードリポジトリ906は、（例えば、退役軍人、高齢者、資産調査による補助などのための）医療補助プログラムから収集され得る。実施態様によっては、複数のそのような政府レコードリポジトリ906がデータ形式およびインターフェースを共用し得る。
【０１２７】
運用報告モジュール908は、データウェアハウス914内のデータに照らして実行され得る報告書の定義を含み得る。実施態様によっては、異なるデータセットを使用した以前の報告書を、データウェアハウス914内のデータに照らして実行するように変換することができる。
【０１２８】
データウェアハウス914は、各データ源902〜908からデータを受け取り、または取り出すことができる。場合によっては、そのような受取りまたは取出しの頻度および性格を、データウェアハウス914とデータ源902〜908との間の法的、業務的、または技術的関係によって決定することができる。これらの関係は、データ源902〜908ごとに異なり得る。データがインポートされる際には、図3Aに記載されるような情報の分類整理、および図3Bに記載されるようなデータの索引付けがデータに適用され得る。よって、データウェアハウス914内のデータはすべて、データ源902〜908内のデータがそうではない場合でさえも、単一の索引付け方式によって参照され得る。
【０１２９】
図10に、データリポジトリからユーザポータルへ情報を提供するためのコンピュータシステムを示す。
【０１３０】
データリポジトリ1002は、レコード保持者からデータを収集し、それらのデータレコードを整理し、索引付け方式に従って索引付けすることができる。データリポジトリ内のデータは、製造、流通、使用、および結果を含む品目追跡情報を含むことができる。またデータリポジトリ内のデータは、医療追跡システムの医師および患者を含む人間に関する情報も含むことができる。
【０１３１】
患者ポータル1004は、患者にデータリポジトリ1002内のデータへのアクセス権を提供することができる。実施態様によっては、患者ポータルは、患者と関連付けられたデータに関連する入力アクセスレベル、出力アクセスレベル、集中アクセスレベル、およびセキュリティレベルを設定するためのグラフィカル・ユーザ・インターフェースを表示することができる。また患者ポータル1004は、患者に患者の医療履歴を提示することもできる。
【０１３２】
提供者のためのウェブアプリケーション1006は、提供者に、データリポジトリ1002内のデータと対話するためのアプリケーションを提供することができる。提供者のためのウェブアプリケーション1006は、データリポジトリ1002の所有者および運営者によって作成されたアプリケーションを含むことができ、当該の特定の提供者と関連付けられている患者のための患者データをアップロードし、患者データにアクセスする機能を含むことができる。加えて、提供者のためのウェブアプリケーション1006は、第三者提供者アプリケーション1008に、データウェアハウス1002にアクセスするためのアプリケーション・プログラミング・インターフェース（API）を提供することもできる。第三者提供者アプリケーション1008は、特定の提供者の特定の要件および目的に基づいて提供者の診療を支援するために、第三者によって作成され得る。
【０１３３】
課金モジュール1010は、データリポジトリ1002内の金融取引へのアクセス権を提供することができる。実施態様によっては、課金モジュール1010は、データウェアハウス1002における変更を観測し、金融イベントを生成するイベント（例えば、請求書を生成する患者のための提供者による処置など）を識別することができる。課金モジュール1010は、金融イベントをクリアリングハウス1012に送ることができ、クリアリングハウス1012は課金イベントを集約して提供者および患者と関連付けられた請求書にすることができる。支払者1014、例えば、患者、保険会社、政府機関などは、クリアリングハウス1012によって作成された請求書に支払いをすることができる。
【０１３４】
支払者ポータル1012は、支払者1014に、支払者1014と関連付けられた未払いおよび/または支払い済みの金融情報の一部または全部へのアクセス権を提供することができる。eラーニングモジュール1014は、ユーザにeラーニングサービスを提供することができる。転記モジュール1016は、ユーザに転記サービスを提供することができる。通信モジュール1018は、ユーザに通信サービス（例えば、電子メール、電話メッセージなど）を提供することができる。エンドユーザ施設ポータルは、エンドユーザ施設のところのユーザに、データリポジトリ1002への制御されたアクセス権を提供することができる。製造ポータル1022は、製造者のところのユーザに、データリポジトリ1002への制御されたアクセス権を提供することができる。流通者ポータル1024は、流通者のところのユーザに、データリポジトリ1002への制御されたアクセス権を提供することができる。実施態様によっては、すべてのポータルを相互運用可能とすることができ、または相互運用可能とする。
【０１３５】
本明細書で説明するシステムおよび技法は、バック・エンド・コンポーネント（例えばデータサーバなどとしての）を含む、またはミドルウェアコンポーネント（例えばアプリケーションサーバなど）を含む、またはフロント・エンド・コンポーネント（例えばグラフィカル・ユーザ・インターフェースもしくはユーザが本明細書で説明するシステムおよび技法の実施態様と対話するためのウェブブラウザを有するクライアントコンピュータなど）を含む、またはそのようなバック・エンド・コンポーネント、ミドルウェアコンポーネント、もしくはフロント・エンド・コンポーネントの任意の組み合わせを含むコンピューティングシステムにおいて実施することができる。システムの構成要素は、ディジタルデータ通信の任意の形態または媒体（例えば通信ネットワークなど）によって相互接続することができる。通信ネットワークの例には、ローカル・エリア・ネットワーク（LAN）、広域ネットワーク（WAN）、インターネットが含まれる。
【０１３６】
コンピューティングシステムは、クライアントとサーバを含むことができる。クライアントとサーバは、一般には、相互にリモートにあり、典型的には、通信ネットワークを介して対話する。クライアントとサーバとの関係は、個々のコンピュータ上で走り、相互に対してクライアント・サーバ関係を有するコンピュータプログラムによって生じる。
【０１３７】
以上いくつかの態様を説明した。とはいえ、本開示の趣旨および範囲を逸脱することなく、様々な改変が行われ得ることが理解されるであろう。したがって、他の態様も添付の特許請求の範囲内に含まれる。
【０１３８】
特定の順序、数、および種類の段階が記載されているが、図示の段階よりも多い、少ない、かつ/または図示の段階と異なる段階を含む他の工程も可能であることが理解されるであろう。
【図１】
2013508822.tif 000004
【図２】
2013508822.tif 000005
【図３Ａ】
2013508822.tif 000006
【図３Ｂ】
2013508822.tif 000007
【図４】
2013508822.tif 000008
【図５】
2013508822.tif 000009
【図６Ａ】
2013508822.tif 000010
【図６Ｂ】
2013508822.tif 000011
【図６Ｃ】
2013508822.tif 000012
【図６Ｄ】
2013508822.tif 000013
【図７】
2013508822.tif 000014
【図８Ａ】
2013508822.tif 000015
【図８Ｂ】
2013508822.tif 000016
【図９】
2013508822.tif 000017
【図１０】
2013508822.tif 000018
【国際調査報告】
2013508822.tif 000019
2013508822.tif 000020